(57)【要約】【課題】ユーザがディスクパッケージ等を確認して再生装置に合ったオーディオデータを選択するといった面倒なオーディオ切替操作を行わなくても、最適なオーディオデータを自動的に選択して再生できるようにする。【解決手段】スピーカ２２のシステム構成をユーザが設定するための操作部１５と、設定されたスピーカ構成情報に応じて適切なチャンネル数のオーディオデータを選択するオーディオストリーム選択処理部１０４とを設け、ユーザにより設定されたスピーカ構成情報に応じて適切なチャンネル数のオーディオデータを再生制御部１０１が選択的に再生するように制御することにより、ユーザがオーディオ再生装置に合ったチャンネル数のオーディオデータを選択するといった面倒なオーディオ切替操作を行う手間を省略できるようにする。【選択図】        図１
2004158141.tif 000002
【特許請求の範囲】
【請求項１】
チャンネル数の異なるオーディオデータが複数記録されている記録媒体から何れかのチャンネル数のオーディオデータを選択的に再生する機能を有するオーディオ再生装置であって、
スピーカの構成をユーザが設定するためのスピーカ構成設定手段と、
上記スピーカ構成設定手段により設定されたスピーカ構成情報に応じて、適切なチャンネル数のオーディオデータを選択するオーディオ選択手段とを備えたことを特徴とするオーディオ再生装置。
【請求項２】
上記スピーカ構成情報の変更時に、チャンネル数の異なる複数のオーディオデータが記録媒体に記録されているかどうかを確認し、記録されている場合に、再生するオーディオデータを、変更された上記スピーカ構成情報に応じて適切なチャンネル数のオーディオデータに切り替える再生切替手段を備えたことを特徴とする請求項１に記載のオーディオ再生装置。
【請求項３】
上記オーディオ選択手段は、上記記録媒体に記録されている２チャンネルのオーディオデータおよび２チャンネルを超えるチャンネル数のオーディオデータの中から、上記スピーカ構成情報に応じた適切なチャンネル数のオーディオデータを選択することを特徴とする請求項１に記載のオーディオ再生装置。
【請求項４】
上記オーディオ選択手段は、上記記録媒体に記録されているチャンネル数の異なる３種類以上のオーディオデータの中から、上記スピーカ構成情報に応じた適切なチャンネル数のオーディオデータを選択することを特徴とする請求項１に記載のオーディオ再生装置。
【請求項５】
上記オーディオ選択手段によって上記スピーカ構成情報に基づき選択されたチャンネル数のオーディオデータを上記記録媒体から選択的に再生するように制御する再生制御手段を備えたことを特徴とする請求項１に記載のオーディオ再生装置。
【請求項６】
チャンネル数の異なるオーディオデータが複数記録されている記録媒体から何れかのチャンネル数のオーディオデータを選択的に再生する機能を有するオーディオ再生装置であって、
再生するオーディオデータをユーザが選択してオーディオ切替情報を設定するためのオーディオ切替手段と、
スピーカの構成をユーザが設定するためのスピーカ構成設定手段と、
上記スピーカ構成設定手段によりスピーカ構成情報が設定されたときに、そのスピーカ構成情報により示されるチャンネル数と上記オーディオ切替情報により示されるチャンネル数とが同じとなるように上記オーディオ切替情報を適宜変更する同期手段と、
上記オーディオ切替情報に基づいて、上記記録媒体から該当するチャンネル数のオーディオデータを選択的に再生するように制御する再生制御手段とを備えたことを特徴とするオーディオ再生装置。
【請求項７】
チャンネル数の異なるオーディオデータが複数記録されている記録媒体から、ユーザにより設定されたスピーカ構成情報に応じた適切なチャンネル数のオーディオデータを選択的に再生するようにしたことを特徴とするオーディオ再生方法。
【請求項８】
上記スピーカ構成情報の変更時に、チャンネル数の異なる複数のオーディオデータが記録媒体に記録されているかどうかを確認し、記録されている場合に、再生するオーディオデータを、変更された上記スピーカ構成情報に応じて適切なチャンネル数のオーディオデータに切り替えるようにしたことを特徴とする請求項７に記載のオーディオ再生方法。
【請求項９】
ユーザによりスピーカ構成情報が設定されたときに、そのスピーカ構成情報により示されるチャンネル数と、オーディオ切替情報により示されるチャンネル数とが同じとなるように上記オーディオ切替情報を適宜変更し、上記オーディオ切替情報に基づいて、チャンネル数の異なるオーディオデータが複数記録されている記録媒体から該当するチャンネル数のオーディオデータを選択的に再生するようにしたことを特徴とするオーディオ再生方法。
【発明の詳細な説明】
【０００１】
【発明の属する技術分野】
本発明はオーディオ再生装置および方法に関し、特に、チャンネル数の異なるオーディオデータが複数記録されているデジタル多用途ディスク等の記録媒体から何れかのチャンネル数のオーディオデータを選択的に再生する機能を有するオーディオ再生装置に用いて好適なものである。
【０００２】
【従来の技術】
従来、データを記録するための記録媒体として、多種多様なメディアが提供されている。近年では、大容量のデータを記録することができる便利さが受けて、ＤＶＤ（デジタル多用途ディスク）が普及している。ＤＶＤには、映画などの映像情報を記録したビデオＤＶＤ、音楽などの音声情報を記録したオーディオＤＶＤ、映像と音声との両方を記録したオーディオ・ビデオＤＶＤなどが存在する。
【０００３】
オーディオＤＶＤは、２ｃｈステレオのオーディオデータに関して従来にない高品位な再生を可能にする。また、今までのＣＤ（コンパクトディスク）等にはない２ｃｈを超えたマルチチャンネル（例えば、車載機のフロント左右＋リア左右＋センタ＋サブウーハの５．１ｃｈ）の再生も可能にしている。ＤＶＤオーディオプレーヤを使用してこのオーディオＤＶＤを再生することにより、ＣＤやビデオＤＶＤ以上のクオリティでオーディオ再生を楽しむことが可能である。
【０００４】
ところで、このようなＤＶＤオーディオディスクにおいて、マルチチャンネルのオーディオデータしか記録されていない場合、２ｃｈ専用の再生装置を持っている人は、その一部の音しか聞くことができない。または、まったく再生できないといった不都合を生じる。そこで、２ｃｈ専用の再生装置しか持っていない人でもこのＤＶＤオーディオディスクを楽しめるようにするために、マルチチャンネル再生用のオーディオデータと共に２ｃｈ再生用のオーディオデータを記録したＤＶＤオーディオディスクも提供されている（例えば、特許文献１参照）。
【０００５】
【特許文献１】
特開平１１−２９６９９７号公報
【０００６】
この種のＤＶＤオーディオディスクは、２ｃｈ再生用とマルチチャンネル再生用との２種類のオーディオデータを同一のトラックに対して記録したものである。ユーザは、メニューやオーディオ切替操作によって、再生装置に合ったオーディオデータを選択して再生することができるようになっている。
【０００７】
【発明が解決しようとする課題】
ＤＶＤオーディオプレーヤに対してスピーカをどのように接続するかは、ユーザの自由である。すなわち、２ｃｈ分のスピーカのみを接続するか、５．１ｃｈ分のスピーカを接続するかといったスピーカ構成については、ユーザが自由に選択してシステムを構築することができる。そのため、構築したスピーカ構成を設定する機能がプレーヤに備えられている。
【０００８】
しかしながら、従来のＤＶＤオーディオプレーヤでは、オーディオ切替等の操作によってオーディオデータの切り替えができるのみである。したがって、スピーカ構成情報の設定を変えても、オーディオ切替操作が行われない限り、再生するオーディオストリームは変更されない。そのため、例えば２ｃｈのスピーカ構成から５．１ｃｈのスピーカ構成に設定を変更しても、再生されるオーディオストリームは２ｃｈ再生用のコンテンツのままである。
【０００９】
逆に、例えば５．１ｃｈのスピーカ構成から２ｃｈのスピーカ構成に設定を変更しても、再生されるオーディオストリームはマルチチャンネル再生用のコンテンツのままである。この場合、再生されたマルチチャンネルのオーディオデータのうち、２ｃｈ分は実際のスピーカから出力されるが、残りのチャンネルの音声はどのスピーカからも出力されなくなる。これにより、本来あるはずの音声の一部が聞こえなくなり、再生音質が悪化してしまうことになる。
【００１０】
マルチチャンネルの再生オーディオデータに対してプレーヤにてダウンミクス等の処理を行うことにより、設定変更後のスピーカ構成に合わせて２ｃｈ用の出力オーディオデータを作り出すことも可能である。しかし、このダウンミクスにより生成されたオーディオデータは、本来２ｃｈ再生用として記録されているオーディオデータのクオリティには及ばない。
【００１１】
本発明は、このような実情に鑑みて成されたものであり、ユーザがディスクパッケージ等を確認して再生装置に合ったオーディオデータを選択するといった面倒なオーディオ切替操作を行わなくても、最適なオーディオデータを自動的に選択して再生できるようにすることを目的とする。
【００１２】
【課題を解決するための手段】
上記した課題を解決するために、本発明のオーディオ再生装置では、チャンネル数の異なるオーディオデータが複数記録されている記録媒体から、ユーザによって設定されたスピーカ構成情報に応じたチャンネル数のオーディオデータを選択的に再生するようにしている。
【００１３】
上記のように構成した本発明によれば、オーディオ切替操作によりどのチャンネル数のオーディオデータが選択されているかにかかわらず、ユーザが設定したスピーカ構成情報に合わせて、再生装置側で自動的に最適なチャンネル数のオーディオデータが選択されて再生されるようになる。あるいは、ユーザによってスピーカ構成情報が設定されたときに、そのスピーカ構成情報により示されるチャンネル数と同じチャンネル数となるようにオーディオ切替情報が適宜変更され、そのオーディオ切替情報に基づいて最適なチャンネル数のオーディオデータが選択されて再生されるようになる。これにより、ユーザが記録媒体のパッケージ等を確認してシステム（スピーカ構成）に合ったオーディオデータを選択する切替操作を行う必要がなくなる。
【００１４】
【発明の実施の形態】
以下、本発明の一実施形態を図面に基づいて説明する。
図１は、本実施形態によるオーディオ再生装置の構成例を示すブロック図である。
【００１５】
図１に示すように、本実施形態のオーディオ再生装置は、サーボモータ制御部１１、スピンドルモータ１２、スライダ制御部１３、光ピックアップ１４、操作部１５、ＲＦアンプ１６、デジタル信号処理部１７、ＲＡＭ１８、オーディオデコーダ１９、ＲＡＭ２０、Ｄ／Ａ変換器２１、スピーカ２２およびシステムコントローラ１００を備えて構成されている。
【００１６】
また、上記システムコントローラ１００は、再生制御部１０１、再生オーディオストリーム属性情報取得部１０２、設定スピーカ情報取得部１０３およびオーディオストリーム選択処理部１０４を備えて構成されている。
【００１７】
サーボモータ制御部１１は、システムコントローラ１００の再生制御部１０１から供給される制御信号に応じて、スピンドルモータ１２、スライダ制御部１３および光ピックアップ１４の駆動を制御する。スピンドルモータ１２は、オーディオ再生装置に装填されたＤＶＤオーディオディスク２００を回転させる。スライダ制御部１３は、ＤＶＤオーディオディスク２００上でその放射方向に光ピックアップ１４を移動させ、再生位置を決定する。
【００１８】
光ピックアップ１４は、ＤＶＤオーディオディスク２００上から２ｃｈまたはマルチチャンネルのオーディオデータを読み出す。操作部１５は、ユーザがオーディオ再生装置に対して選曲、再生、停止、早送り、ボリューム設定等の各種操作を行うためのものであり、例えばリモートコントローラ（リモコン）により構成される。この操作部１５は、２ｃｈ再生用のオーディオデータとマルチチャンネル再生用のオーディオデータとの何れかに切り替えるオーディオ切替操作や、スピーカ構成情報の設定操作などを行う際にも使用する。
【００１９】
ＲＦアンプ１６は、光ピックアップ１４によって読み出されたオーディオデータを増幅する。デジタル信号処理部１７は、ＲＦアンプ１６により増幅されたオーディオデータに対して所定のデジタル信号処理を行う。ＲＡＭ１８は、デジタル信号処理部１７により行われるデジタル信号処理の過程で得られるデータや、その処理の結果得られるデータを一時的に格納する。
【００２０】
オーディオデコーダ１９は、デジタル信号処理部１７より出力されたオーディオデータを復号化する。ＲＡＭ２０は、オーディオデコーダ１９により行われる復号化処理の過程で得られるデータや、その処理の結果得られるデータを一時的に格納する。Ｄ／Ａ変換器２１は、オーディオデコーダ１９により復号化されたデータをアナログのオーディオ信号に変換し、スピーカ２２より出力する。
【００２１】
また、システムコントローラ１００内の再生制御部１０１は、サーボモータ制御部１１を駆動してＤＶＤオーディオディスク２００からのオーディオデータの再生を制御する。ＤＶＤオーディオディスク２００が２ｃｈ再生用のオーディオデータとマルチチャンネル再生用のオーディオデータとの両方を記録したものである場合、何れかのオーディオデータを選択的に再生するように制御する。
【００２２】
再生オーディオストリーム属性情報取得部１０２は、ＤＶＤオーディオディスク２００の現再生トラックで選択可能な全てのオーディオストリームについての属性情報を取得する。ここで取得する属性情報は、ＤＶＤオーディオディスク２００にチャンネル数の異なる複数種類のオーディオデータが記録されているか否か、記録されているオーディオデータのチャンネル数等の情報を含んでいる。
【００２３】
図２は、ＤＶＤオーディオディスク２００に記録されているオーディオストリームを構成するオーディオタイトルセット情報の一部を示す図である。図２中に示される各種属性情報のうち、ブロックモードは、同一トラックに対して２ｃｈ再生用、マルチチャンネル再生用の２種類のオーディオデータが存在するか否かを示す情報である。また、オーディオチャンネルは、記録されているオーディオデータのチャンネル数を示す情報である。
【００２４】
設定スピーカ情報取得部１０３は、操作部１５の操作により設定されたスピーカ構成情報を取得する。オーディオストリーム選択処理部１０４は、再生オーディオストリーム属性情報取得部１０２により取得された属性情報と、設定スピーカ情報取得部１０３により取得されたスピーカ構成情報とに基づいて、最適なオーディオストリームを選択し、必要に応じて再生制御部１０１にオーディオストリームの切替指示を行う。
【００２５】
具体的には、ユーザが操作部１５を操作してスピーカ構成情報の設定を変更したときに、再生オーディオストリームの属性情報を参照して、２ｃｈ再生用とマルチチャンネル再生用との２種類のオーディオデータがＤＶＤオーディオディスク２００に記録されているかどうかを確認する。そして、２種類のオーディオデータが記録されている場合に、設定変更後のスピーカ構成情報に合ったチャンネル数のオーディオデータを選択し、再生制御部１０１に対してオーディオストリームの切替指示を出す。
【００２６】
この切替指示は、オーディオ切替操作等により設定された情報（以下、オーディオ切替情報）により示されるチャンネル数を無視してスピーカ構成情報により示されるチャンネル数を優先的に採用するように指示するものとすることが可能である。この場合に再生制御部１０１は、オーディオ切替情報ではなくスピーカ構成情報に基づいて何れかのオーディオストリームを選択的に再生する。
【００２７】
また、スピーカ構成情報により示されるチャンネル数とオーディオ切替情報により示されるチャンネル数とが常に同じとなるように、オーディオ切替情報をスピーカ構成情報に応じて適宜変更するようにしても良い。この場合に再生制御部１０１は、オーディオ切替情報あるいはスピーカ構成情報の何れかに基づいてオーディオストリームを選択的に再生する。
【００２８】
次に、上記のように構成したオーディオ再生装置における動作について説明する。ＤＶＤオーディオディスク２００は、サーボモータ制御部１１によって駆動が制御されるスピンドルモータ１２により回転する。このとき、ＤＶＤオーディオディスク２００上における光ピックアップ１４の放射方向に対する位置がスライダ制御部１３によって制御され、当該光ピックアップ１４を通じてＤＶＤオーディオディスク２００からオーディオデータが読み出される。
【００２９】
このとき再生制御部１０１は、ＤＶＤオーディオディスク２００に２ｃｈ再生用、マルチチャンネル再生用のオーディオデータが記録されている場合に、何れのオーディオデータを再生するかについて制御する。また、再生制御部１０１は、操作部１５から与えられる指示信号に応じて、サーボモータ制御部１１およびスライダ制御部１３の駆動を制御する。これにより、ユーザが操作部１５を用いて指示した所望の曲の再生や停止、早送り等が行われる。
【００３０】
このようにしてＤＶＤオーディオディスク２００から読み出されたオーディオデータは、ＲＦアンプ１６で増幅された後、デジタル信号処理部１７にて所定の信号処理が施される。ここで信号処理されたオーディオデータは、オーディオデコーダ１９により復号化された後、Ｄ／Ａ変換器２１によりアナログオーディオ信号に変換され、スピーカ２２から出力される。
【００３１】
なお、図１中ではスピーカ２２を１つのみ図示しているが、実際には２ｃｈ分あるいは５．１ｃｈ分の複数のスピーカを有している。このスピーカ２２のシステム構成については、ユーザが操作部１５を用いてシステムコントローラ１００に対して設定する。スピーカ構成情報を設定すると、オーディオストリーム選択処理部１０４は、その設定されたスピーカ構成情報と、再生オーディオストリームの属性情報とに基づいて最適なオーディオストリームを選択する。
【００３２】
図３は、この選択に係るシステムコントローラ１００の動作を示すフローチャートである。図３において、設定スピーカ情報取得部１０３は、システムコントローラ１００に設定されたスピーカ構成情報を取得する（ステップＳ１）。また、再生オーディオストリーム属性情報取得部１０２は、ＤＶＤオーディオディスク２００の現再生トラックで選択可能な全てのオーディオストリームについての属性情報をオーディオデコーダ１９から取得する（ステップＳ２）。
【００３３】
そして、オーディオストリーム選択処理部１０４は、上記再生オーディオストリーム属性情報取得部１０２により取得された属性情報中に含まれている図２のブロックモード情報を参照して、現在オーディオ再生装置に装填されているＤＶＤオーディオディスク２００にチャンネル数の異なる複数種類のオーディオデータが記録されているか否かを確認する（ステップＳ３）。
【００３４】
ここで、複数種類のオーディオデータが記録されていない場合、すなわち、２ｃｈ再生用あるいは５．１ｃｈ再生用の何れかのオーディオデータのみが記録されている場合は、再生するデータを選択する余地はないので何もせずに処理を終了する。
【００３５】
一方、ＤＶＤオーディオディスク２００に複数種類のオーディオデータが記録されている場合、オーディオストリーム選択処理部１０４は、設定スピーカ情報取得部１０３により取得されたスピーカ構成情報に基づいて最適なオーディオストリームを選択する（ステップＳ４）。すなわち、スピーカ構成情報が２ｃｈとなっている場合は２ｃｈ再生用のオーディオデータを選択し、スピーカ構成情報が５．１ｃｈとなっている場合は５．１ｃｈ再生用のオーディオデータを選択する。
【００３６】
さらに、オーディオストリーム選択処理部１０４は、オーディオ切替操作等によってスピーカ構成情報と異なるチャンネルのオーディオデータが選択されていた場合、すなわち、オーディオ切替情報により示されるチャンネル数とスピーカ構成情報により示されるチャンネル数とが異なっている場合には、スピーカ構成情報に合ったオーディオデータを選択するように再生制御部１０１に対して切替指示を行う（ステップＳ５）。
【００３７】
以上詳しく説明したように、本実施形態によれば、ユーザが設定したスピーカ構成情報に合わせて、オーディオ再生装置にて最適なオーディオストリームを自動的に選択するようにしたので、ユーザがディスクパッケージ等を確認して再生装置に合ったオーディオデータを選択するといった面倒なオーディオ切替操作を省略することができる。しかも、このような面倒な操作を行う手間を省いて、実際に構築されているスピーカ資源とＤＶＤオーディオディスク２００に記録されているチャンネル数とを最大限に活かして高音質のオーディオ再生を楽しむことができる。
【００３８】
なお、上記実施形態では、マルチチャンネルの例として５．１ｃｈを挙げて説明したが、本発明はこれに限定されるものではない。すなわち、２ｃｈを超えるチャンネル数であれば何れにも適用可能である。また、本発明はＤＶＤオーディオディスク２００に２種類のオーディオデータが記録されている場合に限らず、３種類以上のオーディオデータが記録されているものにも適用可能である。
【００３９】
また、上記実施形態では、オーディオＤＶＤを再生する装置について説明したが、本発明はこれに限定されない。すなわち、映画などの映像情報と共に音楽などの音声情報を記録したオーディオ・ビデオＤＶＤを再生する装置に本発明を適用することも可能である。この場合、図１の構成に対して、デジタル信号処理部１７より出力されるデータをオーディオストリームとビデオストリームとに分離するストリーム分離部や、分離されたビデオストリームを復号化して表示するビデオデコーダやディプレイ等の構成を追加すれば良く、オーディオ系については図１と同様に構成することが可能である。
【００４０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００４１】
【発明の効果】
本発明は上述したように、ユーザにより設定されたスピーカ構成情報に応じて適切なチャンネル数のオーディオデータを選択的に再生するようにしたので、ユーザが再生装置に合ったオーディオデータを選択するといった面倒なオーディオ切替操作を行うことなく、実際のスピーカ構成に合った最適なチャンネル数のオーディオデータを自動的に選択して高音質のオーディオ再生を楽しむことができるようになる。
【図面の簡単な説明】
【図１】本実施形態によるオーディオ再生装置の構成例を示すブロック図である。
【図２】ＤＶＤオーディオディスクに記録されているオーディオストリームを構成するオーディオタイトルセット情報の一部を示す図である。
【図３】システムコントローラの動作を示すフローチャートである。
【符号の説明】
１５  操作部
１００  システムコントローラ
１０１  再生制御部
１０２  再生オーディオストリーム属性情報取得部
１０３  設定スピーカ情報取得部
１０４  オーディオストリーム選択処理部
【図１】
2004158141.tif 000003
【図２】
2004158141.tif 000004
【図３】
2004158141.tif 000005